(57)【特許請求の範囲】
【請求項１】
水平に配設された下フレームの後部に把手フレームが垂直に固定され、該下フレーム上に下天板が配設され、該把手フレームの下端部と該下フレームの前部の底面に２対のキャスターが取り付けられてなる店舗用台車であって、
前記把手フレームの前方に縦フレームが、前記下フレーム上に該把手フレームと間隔をおいて立設され、該把手フレームと該縦フレームの内側に沿って枠部材が取り付けられ、該把手フレームと該縦フレーム間に、該下フレームの上から上方に延びる縦長空間として板状物収納部が形成され、該下フレーム上の該下天板の前部が上方に回動可能なように、該下天板の後部が水平軸により枢支され、該下フレームの前部の幅がその後部の幅より狭い略Ｕ字状に該下フレームが形成されていることを特徴とする店舗用台車。
【請求項２】
前記縦フレームの上部の前側に上フレームが前記下フレームと平行に固定され、該上フレーム上に上天板が配設されている請求項１記載の店舗用台車。
【発明の詳細な説明】
【０００１】
【発明の属する技術分野】
本発明は、スーパーマーケット等の量販店で商品運搬用等に使用される店舗用台車に関する。
【０００２】
【従来の技術】
スーパーマーケット等の大型量販店では、外部から搬入される大量の商品は、段ボール箱に入れた状態で、店舗用台車に載置され、所定の陳列棚等の場所まで搬送され、そこで、段ボール箱から商品を出し、その商品を台車から陳列棚に移し、そのような作業を行ないながら、各所に配置された陳列棚に商品を運搬し載置していく。台車から商品を陳列棚に載せていくにしたがい、台車には、商品の空き箱（段ボール箱）が残されていくが、段ボールの空き箱は、搬入の最後に所定の場所まで運び、或は商品の搬入業者が持ち帰ることになるため、段ボール箱は商品を搬送する途中においても、台車に載せたままで移動することになる。
【０００３】
【発明が解決しようとする課題】
その際、段ボールの空き箱は嵩張るために折り畳んで台車に載せて運んでいるが、台車の上に搬送途中の商品と折り畳んだ段ボール箱が混在した状態では、折り畳んだ段ボール箱を安定して運ぶことが難しく、段ボール箱が台車から落下したりする不具合があった。
【０００４】
本発明は、上記の点に鑑みてなされたもので、空になった段ボール箱を折り畳んだ状態で良好に運搬することができる店舗用台車を提供することを目的とする。
【０００５】
【課題を解決するための手段】
上記目的を達成するために、本発明の店舗用台車は、水平に配設された下フレームの後部に把手フレームが垂直に固定され、下フレーム上に下天板が配設され、把手フレームの下端部と下フレームの前部の底面に２対のキャスターが取り付けられてなる店舗用台車であって、把手フレームの前方に縦フレームが、下フレーム上に把手フレームと間隔をおいて立設され、把手フレームと縦フレームの内側に沿って補強支持棒が固定され、把手フレームと縦フレーム間に、下フレームの上から上方に延びる縦長空間として板状物収納部が形成され、下フレーム上の下天板の前部が上方に回動可能なように、下天板の後部が水平軸により枢支され、下フレームの前部の幅がその後部の幅より狭い略Ｕ字状に下フレームが形成されていることを特徴とする。
【０００７】
ここで、縦フレームの上部の前側に上フレームが下フレームと平行に固定され、上フレーム上に上天板が配設される構成とすることができる。
【０００８】
【作用】
このような構成の店舗用台車は、スーパーマーケット等の量販店で、外部から段ボール箱入りの商品を搬入する際に使用され、段ボール箱に入った商品を下天板又は上天板の上に載置し、それらの商品を陳列する陳列棚等のある場所まで順に運搬していく。商品をその陳列用の陳列棚まで搬送すると、段ボール箱から商品を出して棚上に載置し、空になった段ボール箱は折り畳んで、台車の板状物収納部に立てて収納し、次の陳列棚に移動する、というように、作業を行なう。搬送途中にある台車上には商品の入った段ボール箱と共に折り畳んだ段ボール箱が残されるが、折り畳んだ段ボール箱は、下フレームから上方に延びる高さの充分な板状物収納部に収納することができるから、下天板又は上天板には商品のみを安定して載置し、搬送することができる。
【０００９】
【発明の実施の形態】
以下、本発明の実施の形態を図面に基づいて説明する。図１は店舗用台車の斜視図を示し、図２はその左側面図を示し、図３はその背面図を示している。１は台車の下フレームであり、矩形断面を持つ矩形パイプを、略Ｕ字形に曲折して形成される。下フレーム１の両側の末端部１ａ，１ａは、鉛直に配設された把手フレーム３の両側下部３ａに、把手フレーム３に対し垂直に、水平状態で固定される。この末端部１ａ，１ａの上方に後述の板状物収納部２０が形成される。下フレーム１はその先端側の幅がその末端部１ａ，１ａ側（把手フレーム側）の幅より狭く形成され、ネスティング（複数の台車を前後に重ねて収納すること）を可能にしている。
【００１０】
下フレーム１の上に、把手フレーム３の前方に縦フレーム４が、把手フレーム３と間隔をおいて立設され、この縦フレーム４の上部に上フレーム２が下フレーム１と平行に取り付けられる。縦フレーム４は、下フレーム１上の両側に立設された２本の棒材からなり、２本の縦フレーム４間には枠部材として複数の補強支持棒４ａが水平に連結するように固定される。さらに、２本の連結棒４ａ，４ａ間に、補強支持棒４ｂが連結・固定される。把手フレーム３と縦フレーム４との間に形成された下フレーム１上の縦長の空間が、折り畳んだ段ボール箱の収納箇所となる板状物収納部２０を構成する。
【００１１】
両側の把手フレーム３間に、枠部材として２本の補強支持棒３ａが水平に連結・固定され、２本の補強支持棒３ａ，３ａ間には、さらに２本の補強支持棒３ｂ，３ｂが縦に連結・固定される。把手フレーム３の上部に、台車を操作する際、使用者が持つための把手部３ｃが水平に形成される。
【００１２】
一方、縦フレーム４の上部には、下フレーム１の上方に水平に配置された上フレーム２の元部が縦フレーム４、４の側部に突き当てて固定される。上フレーム２は、下フレーム１と同様に、平面を略Ｕ字形に曲折して形成され、その先端側の幅がその末端部側（支持棒側）の幅より狭く形成され、ネスティングを可能としている。
【００１３】
さらに、縦フレーム４、４の両側の前部に、２本の補強棒７、７が上フレーム２と下フレーム１間を縦に連結して固定され、上フレーム２と下フレーム１を水平状態に保持するように補強・支持する。縦フレーム４と補強棒７間にはプレート８が取り付けられている。さらに、把手フレーム３と縦フレーム４の間の空間つまり板状物収納部２０の底部に、底フレームを構成する２本の連結棒９ａと押し上げ兼連結棒９ｂが両側の下フレーム１間に連結・固定され、連結棒９ａと押し上げ兼連結棒９ｂ間には前後方向に連結棒９ｃが固定される。
【００１４】
これらの連結棒９ａ，９ｃ及び押し上げ兼連結棒９ｂによって収納部２０の底フレームが構成される。把手フレーム３、３間に水平に固定された押し上げ兼連結棒９ｂは、下フレーム１とその上の下天板５との間の高さ位置に合わせて取り付けられ、複数の台車をネスティングする際、後の台車の下天板５の先端部が押し上げ兼連結棒９ｂに当ったとき、下天板５の前部を押し上げるように作用する。
【００１５】
下フレーム１上に配設される下天板５は、その後部が水平軸５ａにより回動可能に枢支されて取り付けられ、水平軸５ａの両端は縦フレーム４の側部に固定される。よって、下天板５はその水平軸５ａを軸にしてその前部が水平位置より上方に回動可能である。同様に、上フレーム２上に配設される上天板６は、その後部が水平軸６ａにより回動可能に枢支され、水平軸６ａの両端は縦フレーム４に固定される。上天板６はその水平軸６ａを軸にしてその前部が水平位置より上方に回動可能である。
【００１６】
下天板５、上天板６共に、合成樹脂のブロー成形により内部空間を持って軽い板状に成形され、それらの前端部には下側傾斜面５ｂ，６ｂが形成される。従って、台車のネスティング時に、後の台車の下天板５の前端部の下側傾斜面５ｂが前の台車の押し上げ兼連結棒９ｂに当り、下天板５の前部が上方に持ち上がるように回動する。同様に、後の台車の上天板６の前端部の下側傾斜面５ｂが前の台車の上天板６の後端部に当り、上天板６の前部が上方に持ち上がるように回動する。
【００１７】
台車の把手フレーム３の両側の下端部には、ブレーキ付きのキャスター１２、１２が取り付けられ、さらに、下フレーム１の前部の両側底面には一対の自在キャスター１３、１３が取り付けられる。ブレーキ付きのキャスター１２、１２は、作業者が足でブレーキ操作する構造のものであるが、台車の最後部の把手フレーム３の下端部にキャスター１２が取り付けられるから、作業者は容易にそれを視認でき、足でそのブレーキレバーを簡単に操作することができる。下天板５及び上天板６上の前部に、折り畳み枠１１が折り畳み収納可能に取り付けられ、下天板５又は上天板６上に載置した荷物の落下を防止する。この折り畳み枠１１は、使用しない場合、下天板５又は上天板６上の溝内に倒して収納することができる。
【００１８】
次に、上記構成の店舗用台車の使用態様を説明すると、この台車は、スーパーマーケット等の量販店で、外部から段ボール箱入りの商品を搬入する際等に、好適に使用される。
【００１９】
使用者は、段ボール箱に入った商品を台車の下天板５や上天板６の上に載置し、それらの商品を陳列する陳列棚等のある場所まで順次運搬していく。商品をその陳列用の陳列棚まで搬送すると、段ボール箱から商品を出して棚上に載置し、空になった段ボール箱は折り畳んで、図５に示すように、台車の板状物収納部２０内に立てて収納し、次の陳列棚に移動する。
【００２０】
搬送途中にある台車の下天板５や上天板６の上には、商品の入った段ボール箱が残されるが、空になって折り畳んだ段ボール箱は、板状物収納部２０内に入れられるから、商品や折り畳んだ段ボール箱を安定して運搬することができる。また、板状物収納部２０は、下フレーム１から上方に延びる高さの高い空間として形成されるから、折り畳んだ段ボール箱を上方に突き出さずに、板状物収納部２０内に良好に収納することができる。
【００２１】
把手フレームの前部に収納した段ボールが把手部に達した場合、使用者が把手部を持って台車を操作する際、段ボールが手に当って操作しにくいが、上記のように、板状物収納部２０が下フレーム１まで深く形成され、通常の大きさの段ボール箱であれば、収納した段ボールが把手部３ｃまで達することはないから、このような不具合は発生しない。
【００２２】
また、後部のブレーキ付きキャスター１２が把手フレーム３の下端部に取り付けられているから、把手部３ｃを持って操作する使用者には、ブレーキ付きキャスター１２の位置が容易に視認でき、キャスター１２のブレーキ操作を足で容易に行なうことができる。
【００２３】
なお、上記実施形態では、下天板５と上天板６を設けた２段式の台車について説明したが、下天板のみを設けた１段式の台車に適用することも可能である。また、上記では、ネスティング可能な台車について説明したが、ネスティングができない台車についても適用することができる。
【００２４】
【発明の効果】
以上説明したように、本発明の店舗用台車によれば、把手フレームと縦フレーム間に、下フレームの上から上方に延びる縦長空間として板状物収納部を形成したから、段ボール箱入りの商品を陳列棚等に向けて運搬する際、空になった段ボール箱は折り畳んで、台車の板状物収納部に立てて収納することができ、段ボール箱入りの商品と共に、空になって折り畳んだ段ボール箱を安定して搬送することができる。また、板状物収納部は把手フレームの直前に位置するが、下フレームの上から上方に延びる縦長空間として高さが高く形成されるから、折り畳んだ段ボール箱が上方に突き出して把手フレーム上の把手部に達することはなく、使用者は、段ボールに邪魔されずに、その把手部を良好に持って、台車を操作することができる。
【図面の簡単な説明】
【図１】本発明の一実施形態を示す店舗用台車の斜視図である。
【図２】同台車の左側面図である。
【図３】同台車の背面図である。
【図４】同台車の平面図である。
【図５】使用状態を示す左側面図である。
【符号の説明】
１−下フレーム
２−上フレーム
３−把手フレーム
３ｃ−把手部
４−縦フレーム
５−下天板
５ａ−水平軸
６−上天板
６ａ−水平軸
１２−ブレーキ付きキャスター
１３−自在キャスター
２０−板状物収納部
【図１】
0003680205.tif 000002
【図２】
0003680205.tif 000003
【図３】
0003680205.tif 000004
【図４】
0003680205.tif 000005
【図５】
0003680205.tif 000006